(57)【特許請求の範囲】
【請求項１】
工場で生産されかつ長辺および短辺を有する平面四角形の複数の建物ユニットを建築現場で少なくとも水平方向に組み合わせることにより建てられるユニット式建物であって、前記複数の建物ユニットのうちの互いに隣設する少なくとも二つの建物ユニットは、上下二個の平面四角形の各辺を形成する複数の上梁および下梁と、前記上下二個の平面四角形の間であってこれらの平面四角形の四隅のうちの三隅に立設される三本の柱と、残りの一隅を形成する二辺の途中で前記二個の平面四角形の間に立設される二本の柱とを含んで構成されているとともに、前記残りの一隅を形成する各辺に沿った上梁および下梁は、各辺の両端の隅部と隅部とにわたって連続した一本の部材であり、かつ、この部材のみで当該残りの一隅が形成され、前記二本の柱のうちの長辺側に立設された柱は、前記隅部と隅部とのうち前記残りの一隅側に寄せられて立設されており、前記少なくとも二つの建物ユニットは、前記残りの一隅が補強されることなく前記二本の柱のうちのいずれか一方の柱同士が互いに近接対向し、かつ、他方の柱同士が互いに離れて対向する平面線対称に配設され、前記他方の柱間には開口部が設けられていることを特徴とするユニット式建物。
【請求項２】
請求項１に記載されたユニット式建物において、前記開口部には窓用サッシが設けられていることを特徴とするユニット式建物。
【請求項３】
工場で生産されかつ長辺および短辺を有する平面四角形の複数の建物ユニットを建築現場で少なくとも水平方向に組み合わせることにより建てられるユニット式建物であって、前記複数の建物ユニットのうちの互いに隣設する四つの建物ユニットは、上下二個の平面四角形の各辺を形成する複数の上梁および下梁と、前記上下二個の平面四角形の間であってこれらの平面四角形の四隅のうちの三隅に立設される三本の柱と、残りの一隅を形成する二辺の途中で前記二個の平面四角形の間に立設される二本の柱とを含んで構成されているとともに、前記残りの一隅を形成する各辺に沿った上梁および下梁は、各辺の両端の隅部と隅部とにわたって連続した一本の部材であり、かつ、この部材のみで当該残りの一隅が形成され、前記二本の柱のうちの長辺側に立設された柱は、前記隅部と隅部とのうち前記残りの一隅側に寄せられて立設されており、前記四つの建物ユニットのうち平面線対称に配設された一対の建物ユニットでは、前記残りの一隅が補強されることなく前記二本の柱のうちのいずれか一方の柱同士が互いに近接対向し、かつ、他方の柱同士が互いに離れて対向しており、前記四つの建物ユニットは、前記残りの一隅を寄せ合わせた向きで配設されているとともに、これら四つの建物ユニットの中心には各建物ユニット毎に設けられた前記二本の柱で囲まれた空間が形成されていることを特徴とするユニット式建物。
【請求項４】
請求項３に記載されたユニット式建物において、前記空間には階段が接続されたフロアが設けられているとともに、この空間に臨む壁にはドアが設けられていることを特徴とするユニット式建物。
【発明の詳細な説明】
【０００１】
【発明の属する技術分野】
本発明は、ユニット式建物に係り、例えばユニット式建物に二つの建物ユニットに跨る大きな窓等を設けるために利用できる。
【０００２】
【背景技術】
ユニット式建物を構成する建物ユニットには、平面四角形の四隅に立設された四本の柱と、これら四本の柱の上端間および下端間に掛け渡された各四本の上梁および下梁とを含んで構成された軸組み工法により組み立てられるものがある。
また、従来、このような軸組み工法による建物ユニットとして、特開平５−１４０９９６号公報に示されているように、平面四角形の三隅には三本の柱が立設され、残りの一隅から互いに直角方向に離れた位置には二本の柱が立設され、さらに、これら計五本の柱の間に形成される四区間には直線状の上梁および下梁が掛け渡され、残りの一区間、すなわち、残りの一隅から離れて立設された二本の柱間には平面Ｌ字形の上梁および下梁が掛け渡されているものがある。これによると、残りの一隅には柱が立設されていないため、この残りの一隅に障害物のないコーナー出窓を設けることが可能になる。
【０００３】
【発明が解決しようとする課題】
ところで、このような建物ユニットでは、残りの一隅から離れて立設された二本の柱間にはＬ字形の上下梁が掛け渡されているが、これら上下梁の直角部が柱で支持されていないことにより、上下梁に加わる外力は両端の取付け部に作用することになる。このため、これら上下梁の取付け強度が建物ユニット全体の強度に影響することになり、建物ユニットの強度を大きくするのに限界があった。
【０００４】
また、従来では、このような建物ユニットを単体で用いることによりユニット式建物にコーナー出窓を設けることはあったが、複数組み合わせることで間取りの多様化に対応したユニット式建物はなかった。
【０００５】
本発明の目的は、間取りの多様化に対応できるユニット式建物を提供することにある。
【０００８】
【課題を解決するための手段】
本発明のユニット式建物は、工場で生産されかつ長辺および短辺を有する平面四角形の複数の建物ユニットを建築現場で少なくとも水平方向に組み合わせることにより建てられるユニット式建物であって、複数の建物ユニットのうちの互いに隣設する少なくとも二つの建物ユニットは、上下二個の平面四角形の各辺を形成する複数の上梁および下梁と、上下二個の平面四角形の間であってこれらの平面四角形の四隅のうちの三隅に立設される三本の柱と、残りの一隅を形成する二辺の途中で二個の平面四角形の間に立設される二本の柱とを含んで構成されているとともに、残りの一隅を形成する各辺に沿った上梁および下梁は、各辺の両端の隅部と隅部とにわたって連続した一本の部材であり、かつ、この部材のみで当該残りの一隅が形成されており、前記二本の柱のうちの長辺側に立設された柱は、前記隅部と隅部とのうち前記残りの一隅側に寄せられて立設されており、これらの少なくとも二つの建物ユニットは、前記残りの一隅が補強されることなく前記二本の柱のうちのいずれか一方の柱同士が互いに近接対向し、かつ、他方の柱同士が互いに離れて対向する平面線対称に配設され、前記他方の柱間には開口部が設けられていることを特徴とする。
また、本発明のユニット式建物は、工場で生産されかつ長辺および短辺を有する平面四角形の複数の建物ユニットを建築現場で少なくとも水平方向に組み合わせることにより建てられるユニット式建物であって、複数の建物ユニットのうちの互いに隣設する四つの建物ユニットは、上下二個の平面四角形の各辺を形成する複数の上梁および下梁と、前記上下二個の平面四角形の間であってこれらの平面四角形の四隅のうちの三隅に立設される三本の柱と、残りの一隅を形成する二辺の途中で前記二個の平面四角形の間に立設される二本の柱とを含んで構成されているとともに、残りの一隅を形成する各辺に沿った上梁および下梁は、各辺の両端の隅部と隅部とにわたって連続した一本の部材であり、かつ、この部材のみで当該残りの一隅が形成され、前記二本の柱のうちの長辺側に立設された柱は、前記隅部と隅部とのうち前記残りの一隅側に寄せられて立設されており、前記四つの建物ユニットのうち平面線対称に配設された一対の建物ユニットでは、前記残りの一隅が補強されることなく前記二本の柱のうちのいずれか一方の柱同士が互いに近接対向し、かつ、他方の柱同士が互いに離れて対向しており、前記四つの建物ユニットは、前記残りの一隅を寄せ合わせた向きで配設されているとともに、これら四つの建物ユニットの中心には各建物ユニット毎に設けられた前記二本の柱で囲まれた空間が形成されていることを特徴とする。
【０００９】
このような本発明においては、一隅に柱が立設されていない複数の建物ユニットをその一隅同士を寄せ合わせて配設した際、各建物ユニットにおける平面四角形の二辺の途中に立設された柱で囲まれる領域が互いの建物ユニットに連通し、かつ、障害物のない空間となる。このため、この空間を利用して所望の間取りを形成することにより、間取りの多様化に対応可能になる。
【００１０】
【発明の実施の形態】
以下、本発明の第一の実施の形態を図面に基づいて説明する。
図１には、本実施の形態に係るユニット式建物１０が示されている。
ユニット式建物１０は、基礎１１に配置された複数の一階建物ユニット１２と、これら一階建物ユニット１２に積重された複数の二階建物ユニット１３と、これら二階建物ユニット１３の上部に設けられた屋根１４とを含んで構成されており、複数の二階建物ユニット１３のうちの互いに隣接する二階建物ユニット１３Ａ、１３Ｂの短辺側の外側面には、これら二階建物ユニット１３Ａ、１３Ｂに跨る窓１５が設けられている。
【００１１】
図２には、二階建物ユニット１３Ａの骨組みが示されている。
二階建物ユニット１３Ａは、上下二個の平面四角形の各辺を形成する四本の上梁１６〜１９および下梁２０〜２３と、上下二個の平面四角形の間であってこれらの平面四角形の三隅である隅部４０〜４２に立設された三本の柱２４〜２６と、残りの一隅である隅部４３を形成する二辺の途中でこれら二個の平面四角形の間に立設された二本の柱２７、２８とを含んで構成されている。
なお、図１に示した二階建物ユニット１３Ｂも同様な構成になっている。
【００１２】
図３には、二階建物ユニット１３Ａ、１３Ｂを含んで形成された居室２９の間取りが示されている。
これら二階建物ユニット１３Ａ、１３Ｂは、二本の柱２７、２８のうちの柱２８同士が互いに近接対向し、かつ、柱２７同士が互いに離れて対向するように配置されている。すなわち、二階建物ユニット１３Ａ、１３Ｂは上下梁や柱の構成は同じであるが、互いの柱の位置関係という観点から鎖線Ｎ１−Ｎ１を境界として線対称になっている。
【００１３】
また、これら二階建物ユニット１３Ａ、１３Ｂの互いの柱２７間には開口部３０が設けられ、この開口部３０には前述の窓１５を構成する窓用サッシ３１が嵌め込まれるようになっている。
なお、図中の３２は居室２９の内壁であり、各柱が内壁３２により隠蔽されている。また、３３は軽量気泡コンクリート等からなる外壁パネルである。
【００１４】
このような本実施の形態においては、全ての一、二階建物ユニット１２、１３を工場で予め生産し、建築現場において、先ず、コンクリートの打設により設けられた基礎１１に各一階建物ユニット１２をクレーの吊り込み作業により配置し、そして、これら一階建物ユニット１２に各二階建物ユニット１３を同様に積重し、さらに、この建築現場において、二階建物ユニット１３Ａ、１３Ｂに跨る開口部３０に窓用サッシ３１を嵌め込むことにより窓１５を完成させ、最後に、二階建物ユニット１３の上部に屋根１４を設けてユニット式建物１０を完成させる。
【００１５】
このような本実施の形態によれば以下のような効果がある。
すなわち、二階建物ユニット１３Ａ、１３Ｂには上下の隅部４３間に柱が立設されていないが、この隅部４３を形成する上梁１６、１９および下梁２０、２３が各々一本の連続した部材であるため、従来のように、柱２７、２８間にＬ字形の上下梁を掛け渡して平面四角形を形成する必要がなく、Ｌ字形の上下梁の取付け強度に伴う建物ユニットの強度上の制限が解消され、二階建物ユニット１３Ａ、１３Ｂの強度を確実に確保することができる。
【００１６】
また、隅部４３を形成する上梁１６、１９および下梁２０、２３が各々一本の連続した部材であることにより、Ｌ字形の上下梁を製作する手間や、取り付ける手間を省くことができ、部品点数の削減および工場における建物ユニットの生産性を向上させることができる。
【００１７】
そして、二階建物ユニット１３Ａ、１３Ｂを鎖線Ｎ１−Ｎ１を境界とした線対称に配置したため、居室２９をこれら二階建物ユニット１３Ａ、１３Ｂに跨る大きな窓１５を備えた間取りとすることができる。
【００１８】
図４には、本発明の第二の実施の形態に係るユニット式建物５０の二階部分の間取りが示されている。なお、前述の実施の形態と同じ部材には同一符号を付してここでの説明は省略する。
ユニット式建物５０の二階部分は、二階建物ユニット１３Ｃ〜１３Ｆを含んで構成されており、二階建物ユニット１３Ｃ、１３Ｄは互いの柱２８同士が近接対向し、鎖線Ｎ２−Ｎ２を境界として線対称に配設されている。また、二階建物ユニット１３Ｅ、１３Ｆも互いの柱２８同士が近接対向し、鎖線Ｎ２−Ｎ２を境界として線対称に配設されている。一方、二階建物ユニット１３Ｃ、１３Ｆは互いの柱２７同士が近接対向し、鎖線Ｎ３−Ｎ３を境界とした線対称になっており、二階建物ユニット１３Ｄ、１３Ｅが互いの柱２８同士が近接対向し、鎖線Ｎ３−Ｎ３を境界とした線対称になっている。
すなわち、これらの二階建物ユニット１３Ｃ〜１３Ｆは各隅部４３が寄せ合わされて配設されている。
【００１９】
これら二階建物ユニット１３Ｃ〜１３Ｆの中心には各建物ユニット毎に設けられた柱２７、２８で囲まれた四角形の空間である二階ホール５１が形成され、この二階ホール５１の床部分がフロア５２になっている。
また、各二階建物ユニット１３Ｃ〜１３Ｆは間仕切り壁５３により仕切られ、二階建物ユニット１３Ｄ内には上端がフロア５２に接続された階段５４が設けられ、各二階建物ユニット１３Ｃ、１３Ｅ、１３Ｆ内は居室５５、５６、５７になっている。
そして、二階ホール５１に臨む壁である四方の間仕切り壁５８には各居室５５、５６、５７への出入りを行なうためのドア５９が設けられている。
【００２０】
このような本実施の形態によれば、各二階建物ユニット１３Ｃ〜１３Ｆの隅部４３には柱がないため、これら二階建物ユニット１３Ｃ〜１３Ｆの中心位置であっても、柱等の障害物がない二階ホール５１を設けることができる。
【００２１】
また、二階ホール５１に障害物がないことにより、この二階ホール５１内での往来をスムーズかつ安全に行なうことができる。
【００２２】
そして、二階ホール５１に障害物がないことにより、二階ホール５１の見栄えも向上させることができる。
【００２３】
なお、本発明は前記各実施の形態に限定されるものではなく、本発明の目的を達成できる他の構成等を含み、以下に示すような変形等も本発明に含まれる。
例えば、前記第一の実施の形態では、開口部３０に窓１５が設けられていたが、開口３０に設けられるものとしては特に窓に限定されるものではなく、外側面にバルコニを設置した場合等の出入口を設けてもよい。
また、柱２７間を開口３０とせずに、例えばステンドグラス等を嵌め込んで壁の一部としてもよい。
【００２４】
そして、前記第一の実施の形態では、二階建物ユニット１３Ａ、１３Ｂは柱２８同士が近接対向し、柱２７同士が離れて対向するように配設されていたが、これらは逆でもよく、つまり、柱２７同士が近接対向し、柱２８同士が離れて対向するように配設されてもよい。
【００２５】
さらに、前記第一の実施の形態では、二個の建物ユニット１３Ａ、１３Ｂの組合せにより形成された間取りが示され、前記第二の実施の形態では、四つの建物ユニット１３Ｃ〜Ｆの組合せにより形成された間取りが示されていたが、例えばそのような建物ユニットを三つ組み合わせることにより間取を形成した場合であっても、この間取りを有すユニット式建物は本発明に含まれる。
また、そのような間取りは、二階に限らず、一階あるいは三階以上の階層に形成されていてもよい。
【００２８】
また、本発明のユニット式建物によれば、一隅に柱が立設されていない複数の建物ユニットがその隅部同士を寄せ合わせて配設されているため、各建物ユニットにおける平面四角形の二辺の途中に立設された柱で囲まれる領域が互いの建物ユニットに連通し、かつ、障害物のない空間となり、この空間を所望の間取りとすることにより、間取りの多様化に対応できるという効果がある。
【図面の簡単な説明】
【図１】本発明の第一の実施の形態に係るユニット式建物を示す全体斜視図である。
【図２】前記実施の形態の建物ユニットを示す斜視図である。
【図３】前記実施の形態のユニット式建物に形成された間取りを示す平面図である。
【図４】本発明の第二の実施の形態に係るユニット式建物の間取りを示す平面図である。
【符号の説明】
１０、５０  ユニット式建物
１３Ａ〜１３Ｆ  建物ユニットである二階建物ユニット
１６〜１９  上梁
２０〜２３  下梁
２４〜２８  柱
３０  開口部
３１  窓用サッシ
４３  残りの一隅である隅部
５１  空間である二階ホール
５２  フロア
５４  階段
５９  ドア
【図１】
0003704379.tif 000002
【図２】
0003704379.tif 000003
【図３】
0003704379.tif 000004
【図４】
0003704379.tif 000005